【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
装置の通信アドレスと識別情報を記憶する記憶手段とを備えた情報処理装置と、
相手装置と接続するために発呼する発呼手段を備えた発呼装置と、
発呼装置からの呼を着呼する着呼手段を備えた着呼装置とからなる通知システムであって、
前記発呼装置は自装置の通信アドレスおよび識別情報を着呼装置に送信し、前記着呼装置は前記発呼装置の通信アドレスと識別情報を受信するとともに前記受信した識別情報に対応する通信アドレスを情報処理装置に問い合わせ、前記第１の情報処理装置は前記着呼装置から受信した前記発呼装置の識別情報に対応する通信アドレスを前記着呼装置に送信し、前記着呼装置は前記第１の情報処理装置から受信した通信アドレスと前記発呼手段から受信した通信アドレスとの比較結果に基づいて所定の処理を行う一方、前記第１の情報処理装置は前記着呼装置から受信した前記発呼装置の識別情報に対応する通信アドレスが記憶手段に記憶されていない場合には第２の情報処理装置に問い合わせることを特徴とする通知システム。
【請求項２】
装置の通信アドレスとそれに対応する識別情報のうち少なくとも１つ以上を情報処理装置に登録する登録手段を備えたことを特徴とする請求項１に記載の通知システム。
【請求項３】
装置の通信アドレスとそれに対応する識別情報のうち少なくとも１つ以上を、通信を開始する前に情報処理装置に登録する登録手段を備えたことを特徴とする請求項１に記載の通知システム。
【請求項４】
前記登録手段は、前記装置の通信アドレスと識別情報のうち少なくとも１つ以上が変更になった場合に、情報処理装置に前記通信アドレスまたは前記識別情報を変更登録することを特徴とする請求項２又は３に記載の通知システム。
【請求項５】
前記着呼装置が問い合わせる情報処理装置の通信アドレスはあらかじめ前記着呼装置に設定されていることを特徴とする請求項１乃至４のいずれか一項に記載の通知システム。
【請求項６】
前記発呼装置の通信アドレスあるいは識別情報に基づいて前記着呼装置が問い合わせる情報処理装置がきまることを特徴とする請求項１乃至４のいずれか一項に記載の通知システム。
【請求項７】
前記着呼装置が問い合わせる情報処理装置は、前記登録手段が登録した情報処理装置であることを特徴とする請求項２乃至４のいずれか一項に記載の通知システム。
【請求項８】
端末装置の通信アドレスと識別情報とを記憶する記憶手段と、
第１の端末装置と接続するために発呼する第２の端末装置が前記第１の端末装置から受信した前記第１の端末装置の通信アドレスと識別情報を、前記第２の端末装置から受信する受信手段と、
前記受信手段によって受信した前記第１の端末装置の識別情報に対応する通信アドレスであって前記記憶手段に記憶されている通信アドレスを前記第２の端末装置に送信することにより、送信した通信アドレスと前記第１の端末装置の通信アドレスとを比較させその結果に基づいて所定の処理を行わせる手段と、
前記第２の端末装置から受信した前記第１の端末装置の識別情報に対応する通信アドレスが記憶手段に記憶されていない場合には他の情報処理装置に問い合わせることを特徴とする情報処理装置。
【請求項９】
前記他の情報処理装置から問い合わせ結果を受信することを特徴とする請求項８に記載の情報処理装置。
【請求項１０】
情報処理装置が装置の通信アドレスと識別情報を記憶する記憶ステップと、
発呼装置が相手装置と接続するために発呼する発呼ステップと、
着呼装置が発呼装置からの呼を着呼する着呼ステップと、を備えた通信システムの通知方法であって、
前記発呼装置は自装置の通信アドレスおよび識別情報を着呼装置に送信し、前記着呼装置は前記発呼装置の通信アドレスと識別情報を受信するとともに前記受信した識別情報に対応する通信アドレスを情報処理装置に問い合わせ、前記第１の情報処理装置は前記着呼装置から受信した前記発呼装置の識別情報に対応する通信アドレスを前記着呼装置に送信し、前記着呼装置は前記第１の情報処理装置から受信した通信アドレスと前記発呼手段から受信した通信アドレスとの比較結果に基づいて所定の処理を行う一方、前記第１の情報処理装置は前記着呼装置から受信した前記発呼装置の識別情報に対応する通信アドレスが記憶手段に記憶されていない場合には第２の情報処理装置に問い合わせることを特徴とする通知システムの通知方法。
【請求項１１】
登録手段が装置の通信アドレスとそれに対応する識別情報のうち少なくとも１つ以上を情報処理装置に登録するステップを備えたことを特徴とする請求項１０に記載の通知システムの通知方法。
【請求項１２】
登録手段が装置の通信アドレスとそれに対応する識別情報のうち少なくとも１つ以上を、通信を開始する前に情報処理装置に登録するステップを備えたことを特徴とする請求項１０に記載の通知システムの通知方法。
【請求項１３】
前記登録手段は、前記装置の通信アドレスと識別情報のうち少なくとも１つ以上が変更になった場合に、情報処理装置に前記通信アドレスまたは前記識別情報を変更登録することを特徴とする請求項１１又は１２に記載の通知システムの通知方法。
【請求項１４】
前記着呼装置が問い合わせる情報処理装置の通信アドレスはあらかじめ前記着呼装置に設定されていることを特徴とする請求項１０乃至１３のいずれか一項に記載の通知システムの通知方法。
【請求項１５】
前記発呼装置の通信アドレスあるいは識別情報に基づいて前記着呼装置が問い合わせる情報処理装置がきまることを特徴とする請求項１０乃至１３のいずれか一項に記載の通知システムの通知方法。
【請求項１６】
前記着呼装置が問い合わせる情報処理装置は、前記登録手段が登録した情報処理装置であることを特徴とする請求項１１乃至１３のいずれか一項に記載の通知システムの通知方法。
【請求項１７】
記憶手段が端末装置の通信アドレスと識別情報とを記憶するステップと、
受信手段が第１の端末装置と接続するために発呼する第２の端末装置が前記第１の端末装置から受信した前記第１の端末装置の通信アドレスと識別情報を、前記第２の端末装置から受信するステップと、
所定の処理を行わせる手段が前記受信手段によって受信した前記第１の端末装置の識別情報に対応する通信アドレスであって前記記憶手段に記憶されている通信アドレスを前記第２の端末装置に送信することにより、送信した通信アドレスと前記第１の端末装置の通信アドレスとを比較させその結果に基づいて所定の処理を行わせるステップと、を備え、
前記第２の端末装置から受信した前記第１の端末装置の識別情報に対応する通信アドレスが記憶手段に記憶されていない場合には他の情報処理装置に問い合わせることを特徴とする情報処理方法。
【請求項１８】
前記他の情報処理装置から問い合わせ結果を受信することを特徴とする請求項１７に記載の情報処理方法。
【請求項１９】
請求項１７又は１８に記載の情報処理方法をコンピュータが制御可能にプログラミングしたことを特徴とする情報処理プログラム。
【請求項２０】
請求項１９に記載の情報処理プログラムをコンピュータが読み取り可能な形式で記録したことを特徴とする記録媒体。
【手続補正２】
【補正対象書類名】明細書
【補正対象項目名】発明の名称
【補正方法】変更
【補正の内容】
【発明の名称】通知システム、情報処理装置、通知システムの通知方法、情報処理方法、情報処理プログラム、及び記録媒体
【手続補正３】
【補正対象書類名】明細書
【補正対象項目名】０００４
【補正方法】変更
【補正の内容】
【０００４】
上述の目的を達成するために、請求項１に記載の発明は、装置の通信アドレスと識別情報を記憶する記憶手段とを備えた情報処理装置と、相手装置と接続するために発呼する発呼手段を備えた発呼装置と、発呼装置からの呼を着呼する着呼手段を備えた着呼装置とからなる通知システムであって、前記発呼装置は自装置の通信アドレスおよび識別情報を着呼装置に送信し、前記着呼装置は前記発呼装置の通信アドレスと識別情報を受信するとともに前記受信した識別情報に対応する通信アドレスを情報処理装置に問い合わせ、前記第１の情報処理装置は前記着呼装置から受信した前記発呼装置の識別情報に対応する通信アドレスを前記着呼装置に送信し、前記着呼装置は前記第１の情報処理装置から受信した通信アドレスと前記発呼手段から受信した通信アドレスとの比較結果に基づいて所定の処理を行う一方、前記第１の情報処理装置は前記着呼装置から受信した前記発呼装置の識別情報に対応する通信アドレスが記憶手段に記憶されていない場合には第２の情報処理装置に問い合わせることを特徴とする。
また、請求項２に記載の発明は、装置の通信アドレスとそれに対応する識別情報のうち少なくとも１つ以上を情報処理装置に登録する登録手段を備えたことを特徴とする。
また、請求項３に記載の発明は、装置の通信アドレスとそれに対応する識別情報のうち少なくとも１つ以上を、通信を開始する前に情報処理装置に登録する登録手段を備えたことを特徴とする。
また、請求項４に記載の発明は、前記登録手段は、前記装置の通信アドレスと識別情報のうち少なくとも１つ以上が変更になった場合に、情報処理装置に前記通信アドレスまたは前記識別情報を変更登録することを特徴とする。
【手続補正４】
【補正対象書類名】明細書
【補正対象項目名】０００５
【補正方法】変更
【補正の内容】
【０００５】
また、請求項５に記載の発明は、前記着呼装置が問い合わせる情報処理装置の通信アドレスはあらかじめ前記着呼装置に設定されていることを特徴とする。
また、請求項６に記載の発明は、前記発呼装置の通信アドレスあるいは識別情報に基づいて前記着呼装置が問い合わせる情報処理装置がきまることを特徴とする。
また、請求項７に記載の発明は、前記着呼装置が問い合わせる情報処理装置は、前記登録手段が登録した情報処理装置であることを特徴とする。
また、請求項８に記載の発明は、端末装置の通信アドレスと識別情報とを記憶する記憶手段と、第１の端末装置と接続するために発呼する第２の端末装置が前記第１の端末装置から受信した前記第１の端末装置の通信アドレスと識別情報を、前記第２の端末装置から受信する受信手段と、前記受信手段によって受信した前記第１の端末装置の識別情報に対応する通信アドレスであって前記記憶手段に記憶されている通信アドレスを前記第２の端末装置に送信することにより、送信した通信アドレスと前記第１の端末装置の通信アドレスとを比較させその結果に基づいて所定の処理を行わせる手段と、前記第２の端末装置から受信した前記第１の端末装置の識別情報に対応する通信アドレスが記憶手段に記憶されていない場合には他の情報処理装置に問い合わせることを特徴とする。
また、請求項９に記載の発明は、前記他の情報処理装置から問い合わせ結果を受信することを特徴とする。
また、請求項１０に記載の発明は、情報処理装置が装置の通信アドレスと識別情報を記憶する記憶ステップと、発呼装置が相手装置と接続するために発呼する発呼ステップと、着呼装置が発呼装置からの呼を着呼する着呼ステップと、を備えた通信システムの通知方法であって、前記発呼装置は自装置の通信アドレスおよび識別情報を着呼装置に送信し、前記着呼装置は前記発呼装置の通信アドレスと識別情報を受信するとともに前記受信した識別情報に対応する通信アドレスを情報処理装置に問い合わせ、前記第１の情報処理装置は前記着呼装置から受信した前記発呼装置の識別情報に対応する通信アドレスを前記着呼装置に送信し、前記着呼装置は前記第１の情報処理装置から受信した通信アドレスと前記発呼手段から受信した通信アドレスとの比較結果に基づいて所定の処理を行う一方、前記第１の情報処理装置は前記着呼装置から受信した前記発呼装置の識別情報に対応する通信アドレスが記憶手段に記憶されていない場合には第２の情報処理装置に問い合わせることを特徴とする。
また、請求項１１に記載の発明は、登録手段が装置の通信アドレスとそれに対応する識別情報のうち少なくとも１つ以上を情報処理装置に登録するステップを備えたことを特徴とする。
また、請求項１２に記載の発明は、登録手段が装置の通信アドレスとそれに対応する識別情報のうち少なくとも１つ以上を、通信を開始する前に情報処理装置に登録するステップを備えたことを特徴とする。
また、請求項１３に記載の発明は、前記登録手段は、前記装置の通信アドレスと識別情報のうち少なくとも１つ以上が変更になった場合に、情報処理装置に前記通信アドレスまたは前記識別情報を変更登録することを特徴とする。
また、請求項１４に記載の発明は、前記着呼装置が問い合わせる情報処理装置の通信アドレスはあらかじめ前記着呼装置に設定されていることを特徴とする。
また、請求項１５に記載の発明は、前記発呼装置の通信アドレスあるいは識別情報に基づいて前記着呼装置が問い合わせる情報処理装置がきまることを特徴とする。
【手続補正５】
【補正対象書類名】明細書
【補正対象項目名】０００６
【補正方法】変更
【補正の内容】
【０００６】
また、請求項１６に記載の発明は、前記着呼装置が問い合わせる情報処理装置は、前記登録手段が登録した情報処理装置であることを特徴とする。
また、請求項１７に記載の発明は、記憶手段が端末装置の通信アドレスと識別情報とを記憶するステップと、受信手段が第１の端末装置と接続するために発呼する第２の端末装置が前記第１の端末装置から受信した前記第１の端末装置の通信アドレスと識別情報を、前記第２の端末装置から受信するステップと、所定の処理を行わせる手段が前記受信手段によって受信した前記第１の端末装置の識別情報に対応する通信アドレスであって前記記憶手段に記憶されている通信アドレスを前記第２の端末装置に送信することにより、送信した通信アドレスと前記第１の端末装置の通信アドレスとを比較させその結果に基づいて所定の処理を行わせるステップと、を備え、前記第２の端末装置から受信した前記第１の端末装置の識別情報に対応する通信アドレスが記憶手段に記憶されていない場合には他の情報処理装置に問い合わせることを特徴とする。
また、請求項１８に記載の発明は、前記他の情報処理装置から問い合わせ結果を受信することを特徴とする。
また、請求項１９に記載の発明は、請求項１７又は１８に記載の情報処理方法をコンピュータが制御可能にプログラミングしたことを特徴とする。
また、請求項２０に記載の発明は、請求項１９に記載の情報処理プログラムをコンピュータが読み取り可能な形式で記録したことを特徴とする。